(57)【特許請求の範囲】
【請求項１】
上筐体（１１）、下筐体（１２）からなる筐体（１）に配設され電子機器を支持する部品支持部材（２１）と軸柱（２３）との螺合により前記電子機器の位置を調節するための可動部品（２）と、前記電子機器を支持する前記可動部品の長手方向の動きを抑制するばね（３）と、前記上筐体、下筐体のうち一方の筐体に設けられ前記電子機器を支持する前記可動部品を挟着する挟着リブ（４）と、前記挟着リブに設けられ前記ばねを係止するばね係止部（５）とを備えることを特徴とする電子機器のための筐体構造。
【発明の詳細な説明】
【０００１】
【発明の属する技術分野】
本発明は電子機器のための筐体構造に係わり、特に、内蔵する可動部品を仮固定するための保持構造を備えた電子機器のための筐体構造に関する。
【０００２】
【従来の技術および解決すべき課題】
図４（ａ）、（ｂ）に示すように、従来、可動部品を内蔵するインターホン等の電子機器のための筐体構造は、上筐体１１、下筐体１２からなる電子機器のための筐体１に配設される電子機器の位置を調節するための可動部品２と、可動部品２の長手方向の動きを抑制するばね３と、上筐体１１に設けられ可動部品２を挟着する挟着リブ４、４とからなる。
【０００３】
可動部品２は、図４（ｂ）に示すように、軸柱２３と、軸柱２３の径が大きくなった頭部２２と、軸柱２３と螺合している部品支持部材２１と、部品支持部材２１に突設されカメラのような電子機器が搭載された基板（図示せず）を把持する把持突起２４から構成され、部品支持部材２１は外周水平断面が角型に形成されている。なお、可動部品２は基板に搭載されたカメラの位置を調節するために使用されるものである。
【０００４】
可動部品２は上筐体１１の穴６に挿着され、可動部品２の長手方向の動きを抑制するばね３が、部品支持部材２１から軸柱２３の先端部側に配設される。最後に下筐体１２を篏着して可動部品を内蔵するこの種の電子機器のための筐体が構成される。
【０００５】
【発明が解決しようとする課題】
この種の製品は、通常、（１）下筐体１２と、（２）上筐体１１に可動部品２およびばね３を装着したものとが別々に製造される。したがって、上筐体１１に可動部品２およびばね３を装着したものを輸送する際、上筐体１１に対して可動部品２は、部品支持部材２１の外周水平断面が角型に形成されているので、上筐体１１に設けられた挟着リブ４、４によって挟着されるが、ばね３は可動部品２の長手方向に不安定であるため、下筐体１２を取り寄せて組み立てるか、別途一時的なカバー（図示せず）をかける必要がある。
【０００６】
このように半組み立て状態の輸送が不可能であるという不都合があり、また、カバーは別部品として部品点数を増加させ、カバーかけの手間も要するという難点があった。
【０００７】
本発明は、上記従来の難点を解決するため、別部品を要せず、半組み立て状態での輸送が可能となるよう、内蔵する可動部品を仮固定できる電子機器のための筐体構造を提供することを目的とする。
【０００８】
【課題を解決するための手段】
本発明による電子機器のための筐体構造は、上筐体、下筐体からなる筐体に配設され電子機器を支持する部品支持部材と軸柱との螺合により電子機器の位置を調節するための可動部品と、電子機器を支持する可動部品の長手方向の動きを抑制するばねと、上筐体、下筐体のうち一方の筐体に設けられ電子機器を支持する可動部品を挟着する挟着リブと、挟着リブに設けらればねを係止するばね係止部とを備えるものである。
【０００９】
この電子機器のための筐体構造によれば、係止部にばねが係止されるので、カバーのような別部品を要せず、半組み立て状態での輸送が可能となる。
【００１０】
【発明の実施の形態】
以下、本発明における電子機器のための筐体構造を好ましい実施の形態例について図面を参照して詳述する。
【００１１】
図１および図３（ａ）に示すように、可動部品を内蔵するこの種の電子機器（図示せず）のための筐体構造は、上筐体１１、下筐体１２からなる電子機器のための筐体１に配設され電子機器の位置を調節するための可動部品２と、可動部品２の長手方向の動きを抑制するばね３と、上筐体１１に設けられ可動部品２を挟着する１対の挟着リブ４、４と、挟着リブ４に設けらればね３を係止するばね係止部としての爪５、５とからなる。
【００１２】
爪５は、挟着リブ４の先端から、ばね３を係止可能な長さに延設、ねじ固定または接着剤固定され、図１に示すように、端部が上筐体１１の穴方向に傾斜角度を有しているとより好適である。
【００１３】
可動部品２は、図３（ａ）に示すように、軸柱２３と、軸柱２３の径が大きくなった頭部２２と、軸柱２３と螺合している部品支持部材２１と、部品支持部材２１に突設され部品が搭載されて基板（図示せず）を把持する把持突起２４から構成され、部品支持部材２１は外周水平断面が角型に形成されている。
【００１４】
なお、可動部品２は基板に搭載された電子機器としてのカメラ（図示せず）の位置を調節するために使用されるもので、部品支持部材２１と軸柱２３とを螺合させ、上筐体１１の表面から軸柱２３の頭部２２をドライバーで回転させて、挟着リブ４に挟着されて回転不可能な部品支持部材２１を軸柱２３の長手方向に移動させ、把持突起２４に把持された基板即ち基板に搭載されたカメラの位置を調節する。
【００１５】
挟着リブ４に設けらればね３を係止するばね係止部５としては、図２および図３（ｂ）に示すように、挟着リブ４の先端を、軸柱２３が挿通可能な挿通部５１がある箱型の蓋５のごとく形成しても同様に好適である。
【００１６】
図３（ａ）に示すように、可動部品２は上筐体１１の穴６に挿着され、可動部品２の長手方向の動きを抑制するばね３が、部品支持部材２１から軸柱２３の先端部側に配設される。上筐体１１に対して可動部品２は、部品支持部材２１の外周水平断面が角型に形成されているので、上筐体１１に設けられた挟着リブ４、４によって挟着される。また、ばね３は、挟着リブ４に設けられた爪５あるいは箱型の蓋５によって、上筐体１１方向に押圧されるので、上筐体１１に可動部品２とばね３挿着した部品を、下筐体１２とは別に、半組み立て状態で輸送する際も、上筐体１１に対して可動部品２およびばね３が不安定となることはない。当然、別途一時的なカバーをかける必要もなく、部品点数および手間を減らすことができる。
【００１７】
なお、挟着リブ４が設けられる筐体１を上筐体１１として説明したが、上筐体と下筐体の名称が入れ替わっても同様の効果が得られることは言うまでもない。
【００１８】
【発明の効果】
以上の説明から明らかなように、本発明によれば、ばね係止部にばねが係止され、カバーのような別部品を要せず、半組み立て状態での輸送が可能となる。
【図面の簡単な説明】
【図１】本発明による電子機器のための筐体構造を説明する図である。
【図２】本発明による電子機器のための筐体構造の他の実施例を説明する図である。
【図３】（ａ）、（ｂ）は、本発明による電子機器のための筐体構造の部分を説明する図である。
【図４】（ａ）、（ｂ）は、従来の電子機器のための筐体構造を示す図である。
【符号の説明】
１・・・電子機器のための筐体
１１・・・上筐体
１２・・・下筐体
２・・・可動部品
３・・・ばね
４・・・挟着リブ
５・・・ばね係止部
２１・・・部品支持部材
２３・・・軸柱
【図１】
0003778665.tif 000002
【図２】
0003778665.tif 000003
【図３】
0003778665.tif 000004
【図４】
0003778665.tif 000005